(57)【要約】【課題】手持ち式高圧水噴射ガンの作業後の噴射水や飛散物を効率よく回収することができる。【解決手段】高圧水噴射ガン１の先端に固定カバー３を装着し、この固定カバーの先に固定カバーに対し径の大きな保護カバー４を付けて、固定カバーと保護カバーの間を柔軟なアーム１３で繋ぎ自在に動ける構造とし、固定カバー３と保護カバーの間に開孔１８を設ける、開孔から空気を吸引して、飛散物や噴射水を回収する。【選択図】　　　図１
2004114022.tif 000002
【特許請求の範囲】
【請求項１】
筒状の固定カバー（３）の開放した先端部分に筒状の保護カバー（４）を着脱自在に取り付け、固定カバーまたは保護カバーの一部を柔軟な構造とし、高圧水噴射ガンの先端に対して自在に動ける構造とすると共に固定カバー内部を吸引減圧できる構造とし、高圧水噴射ガン（１）の先端に取り付けて利用する噴射水回収装置。
【請求項２】
前記保護カバーは固定カバーより大きな径とし、少なくとも三箇所の柔軟なアーム（１３）により、固定カバーに取り付けられており、柔軟なアームを支点とし、自在に動ける構造とする請求項１記載の噴射水回収装置。
【請求項３】
前記固定カバーは一端が開放した形状で、他端は高圧水噴射ガンに着脱自在に固定できると共に、内部を吸引減圧するための吸引口（５）を設けた構造とする請求項１記載の噴射水回収装置。
【請求項４】
前記保護カバーの先端の部分には緩衝材（２０）又はシール材（１９）を設ける構造とする請求項１記載の噴射水回収装置。
【請求項５】
前記保護カバーと固定カバーの間に開孔部（１４）を設ける構造とする請求項１記載の噴射水回収装置。
【発明の詳細な説明】
【０００１】
【発明の属する技術分野】
本発明は超高圧水を利用してコンクリート構造物表面の劣化部除去並びに付着物や金属の塗装面の塗料を取り除くための手持ち式高圧水噴射ガンの噴射水回収装置に関するものである。
【０００２】
【従来の技術】
従来、コンクリート構造物の劣化部除去や金属の表面の塗料や付着物を取り除く場合、高圧水を利用した除去方法が行われている。この高圧水を使用した方法では、噴射ガンをむき出しのまま使用するかまたは噴射ガンの先端に噴射ガンの先端保護カバーを取り付けた構造のものが使用されている。
【０００３】
【発明が解決しようとする課題】
従来の高圧水によるコンクリート構造物の劣化部除去や金属の表面の塗料や付着物を取り除く方法では、高圧水噴射ガンを直接対象物に向けて作業をする。この場合、ガンから噴射された高圧水や除去された塗料やコンクリート粉は飛散して周囲を汚したり、また、むき出しのままのノズルから噴射される高圧水により、大きな騒音が発生するという問題点があった。
【０００４】
本発明は、噴射ノズルの先端に筒状の固定カバーを設け、この固定カバーに自在に動く筒状の保護カバーを取り付け、固定カバーと保護カバーの間に隙間を設け、固定カバー内を吸引減圧する事により、この隙間より空気を吸い込み噴射水や除去飛散物を吸引して回収しようとするものである。そして、対象物に対し常に密着してこの保護カバーを当てられる構造にすることにより、吸引効率を高めると共に対象物に吸着することなく作業が行えると共に安全に噴射水や除去物を回収するための高圧水噴射ガンの噴射水回収装置を提供することを目的としている。
【０００５】
【議題を解決するための手段】
上記目的を達成するために、筒状の固定カバーの開放した先端部分に筒状の保護カバーを着脱自在に取り付け、固定カバーまたは保護カバーの一部を柔軟な構造とし、高圧水噴射ガンの先端に対して自在に動ける構造とすると共に固定カバー内部を吸引減圧できる構造とし、高圧水噴射ガンの先端に取り付けて利用する噴射水回収装置。
【０００６】
保護カバーは固定カバーより大きな径とし、少なくとも三箇所の柔軟なアームにより、固定カバーに取り付けられており、柔軟なアームを支点とし、自在に動ける構造とする。
【０００７】
固定カバーは一端が開放した形状で、他端は高圧水噴射ガンに着脱自在に固定できると共に、内部を吸引減圧するための吸引口を設けた構造とする。
【０００８】
保護カバーの先端の部分には緩衝材又はシール材を設ける構造とする。
【０００９】
保護カバーと固定カバーの間に開孔部を設ける構造とする。
【発明の実施の形態】
発明の実施の形態を実施例にもとづき図面を参照して説明する。
図１において示される実施例において、手持ち式高圧水噴射ガンに本発明の噴射水回収装置を装着した状態を示す。高圧水噴射ガン１のケーシングの先端に本装置を固定するための固定具２を取り付けて、この固定具２に固定カバー３を装着した状態である。固定カバー３には保護カバー４が取り付けてある。また、固定カバー３には固定カバー３内部を吸引減圧するための吸引口５が設けてあり、吸引口５の先端には吸引ホース６が取り付けてあり、吸引装置Ａに接続されている。また、高圧水噴射ガン１の高圧水取り入れ口７に取り付けられた高圧ホース８は高圧水発生装置Ｂに接続されており、エアーモーター駆動用の圧縮空気は圧縮空気取り入れ口９に取り付けられたエアホース１０で圧縮空気発生装置Ｃに接続されている。
【００１０】
図２において示される実施例では、本装置および高圧水噴射ガン取り付け部の詳細に付いて示す。高圧水噴射ガン１は先端にノズルチップ１６を取り付けたノズルヘッド１５、ノズルヘッド１５を取り付けたシャフト１７とこれらの部分を回転させる駆動部およびケーシング等から構成されている。そして、本発明の噴射水回収装置はこのケーシングの先端に取付けてある固定具２にボルト、ナットで固定する構造になっている。
【００１１】
尚、ノズルチップ１６はノズルヘッド１５に少なくとも一個付けてあり、ノズルヘッド１５を取り付けたシャフト１７は空気圧で回転するエアモーターに連結してある。シャフト１７は中空で内部を高圧水が流れ、ノズルヘッド１５に取付けてあるノズルチップ１６から高圧水を噴射する構造になっている。
【００１２】
そして、本装置の噴射ガン１への取り付けは、本装置の固定カバー３を高圧水噴射ガン１のケーシングにボルト、ナットで固定してある固定具２に取り付けるようになっており、この際、ノズルチップ１６を取付けたノズルヘッド１５が作業中に対象物に接触して損傷しないように、ノズルヘッド１５を保護する必要がある。そのため、固定カバー３はノズルヘッド１５の先端より、約１ｃｍ前に出るように取付けられている。また、固定カバー３には、噴射水を吸引して回収するための空気の吸引口５があり、吸引口５には先端には吸引ホース６が取り付けられるようになっている。
【００１３】
そして、本装置の構造は高圧水噴射ガン１の固定具２に一端が開放した筒型の固定カバー３が取付けており、固定カバー３には、固定カバー３より径の大きな保護カバーが取り付けられている。保護カバーの固定カバーへの取り付けは固定カバーの外周に保護カバー４を差し込み、固定部１１で固定ボルト、ナット１２で着脱自在に固定する構造となっている。
【００１４】
そして、保護カバー４は、その外周部と固定カバー３取り付け部の間が一定間隔の開孔１４を有しており、この開孔１４に一定の距離で均等に三本のアーム１３が設けてある。このアーム１３は柔軟構造を有しており、保護カバー４が対象物に様々な角度で当たっても常に密着した状態で自在に動ける構造となっている。そして、空気吸引口５から空気を吸引した場合、前記開孔１４から吸い込まれた吸引空気に随伴されることにより、噴射水や除去された固形物を回収することができるようになっている。
【００１５】
また、保護カバー４の先端部には作業に際して、対象物との接触時に摩耗を防止し、移動を容易にするための球状の緩衝材２０が複数個取付けてあり、さらに密着性を良好にして吸引効率を高めるため薄いゴムシート１９が外周に巻き付けてあり、固定バンド１８で着脱自在に固定されている。
【００１６】
本発明は以上の構成よりなっており、本発明の使用に際しては以下のように実施する。本発明の噴射水回収装置を装着した高圧水噴射ガン１を高圧水発生装置Ｂの高圧水取り出し口と高圧水噴射ガン１の高圧水取り入れ口７を高圧ホース８に接続する。また、圧縮空気発生装置Ｃと高圧水噴射ガンの空気取り入れ口９をエアホース１０で繋ぎ合わせる。また、固定カバー３にある空気吸引口５と吸引装置Ａを吸引ホース６で繋ぎ合わせる。
【００１７】
次に、高圧水発生装置Ｂ、圧縮空気発生装置Ｃ及び吸引装置Ａの運転を開始する。エアーモーターへの空気コックを開き圧縮空気を供給し、ノズルヘッド１５を回転させる。また、吸引装置Ａも同時に吸引を開始する。次に高圧水発生装置Ａの起動スゥイッチを入れノズルチップ１６より高圧水を噴射させる。この状態で作業を実施する。もちろん作業条件が異なる場合、吸引風量を調整しながら、噴射水や除去物が充分回収できるように、最適な吸引風量に調整すれば好い。
【００１８】
この状態で作業する事により、保護カバー４を対象物に密着させても、保護カバー４と固定カバー３の開孔１４から、減圧された固定カバー３内部に空気が吸い込まれることにより、保護カバー４は対象物に吸着することなく、容易に移動することができる。もちろん、吸引された空気が固定カバー３と保護カバー４の開孔１４を通過することにより、噴射された高圧水や除去された固形物も吸引された空気と一緒に吸引回収される。
【００１９】
これらの除去された固形物には塗料滓やコンクリート粉等、作業により発生した廃棄物も回収できるため、除去作業に際して周囲を汚したり、濡らしたりすることがない。そして、これらの吸引回収された水や飛散物は汚水槽に溜められた後で固液分離した後で処理される。
【００２０】
また、長時間の作業に際して固定カバー３や保護カバー４が飛散物や対象物との接触により損傷した場合、特に保護カバー４が損傷した場合は、固定カバー３に取付けてある保護カバー４の固定部１１の固定ボルト、ナット１２外し、保護カバー４を新しい物に交換すれば好い。また、固定カバー３の損傷に際しては、固定カバー３を固定具２から外して交換すれば好い。
【００１９】
また、本発明の噴射水回収装置は、全体として金属またはプラスチックで作られており、除去作業に伴う飛散物からの衝撃や摩耗に十分耐えられる構造となっている。特に、保護カバー４は飛散物の衝突等により、摩耗が激しいため、耐摩耗性を考慮した構造および材質で作られている。特に、アーム部のように柔軟性と耐摩耗性を考慮した場合、保護カバー全体をゴム等の柔軟材で製作してもよい。又は、保護カバーを金属やプラスチックとしアーム部をゴムのような柔軟な材料としても好い。
【００２０】
また、手持ち式高圧水噴射ガンでの作業を効率よく行わせるために装置の軽量化にも配慮された構造になっている。尚、本発明をエアー式回転ガンを例に説明したが、水圧等他の方法で回転するガンに取り付けてもよく、使用するガンの種類を何等限定するものではない。
【００２１】
【発明の効果】
本発明は、以上説明したように構成されているので、以下に記載されるような効果を奏する。
【００２２】
高圧水噴射ガンに本発明の噴射水回収装置を取り付けることにより、利用後の噴射水を回収して処理できることにより、周辺の環境を汚染することなく作業できる。
【００２３】
本装置の装着により、ノズルからの噴射による騒音を軽減できる。
【００２４】
構造が簡単で、作業に際して吸引減圧しても保護カバーが対象物に吸着しないため、より安定した作業が効率よくできると共に仕上がりに斑が無い。
【００２５】
構造が簡単で軽量化できるため操作しやすく足場上など不安定な場所でも安全な作業が行える。
【００２６】
構造が簡単で取り付け、取り外しが簡単に行えるため効率よく現場作業が行える。
【００２７】
また、作業によって生じた有害な塗料滓やリサイクル可能なコンクリート粉等の回収ができるため作業現場での環境保持や資源有効利用ができる。
【００２８】
保護カバーが一体として製作することができるため、コストも安価である。
【図面の簡単な説明】
【図１】噴射水回収装置を高圧水噴射ガンに取り付けた全体図である。
【図２】本発明の実施例の断面詳細図である。
【符号の説明】
１　　高圧水噴射ガン
２　　固定具
３　　固定カバー
４　　保護カバー
５　　空気吸引口
６　　吸引ホース
７　　高圧水取り入れ口
８　　高圧ホース
９　　圧縮空気取り入れ口
１０　エアーホース
１１　固定部
１２　固定ボルト、ナット
１３　アーム
１４　開孔
１５　ノズルヘッド
１６　ノズルチップ
１７　シャフト
１８　固定バンド
１９　ゴムシート
２０　緩衝材
Ａ　　吸引装置
Ｂ　　高圧水発生装置
Ｃ　　圧縮空気発生装置
【図１】
2004114022.tif 000003
【図２】
2004114022.tif 000004